(57)【要約】【課題】住宅の雨水管から下水道へ向けて雨水が過剰に流入することを防止し、都市の下水道が満杯になることを防止する。【解決手段】  住宅の雨水管４における雨水の流量を制限する流量絞り２４と、該流量絞り２４で流量制限される雨水を受け入れる貯留タンク１９と、を備え、該貯留タンク１９の許容最大貯水量を超える雨水を排出する過剰水排出口２０が前記貯留タンク１９に連通して形成されるとともに、前記貯留タンク１９内の雨水を該貯留タンク１９が実質的に空になるまで自然に排出する全量排出口（図２の例では流量絞り２４の雨水通過孔２４ａ）が前記貯留タンク１９に連通して形成される。【選択図】  図２
2016194235.tif 000002
【特許請求の範囲】
【請求項１】
住宅の雨水管における雨水の流量を制限する流量絞りと、該流量絞りで流量制限される雨水を受け入れる貯留タンクと、を備え、該貯留タンクの許容最大貯水量を超える雨水を排出する過剰水排出口が前記貯留タンクに連通して形成されるとともに、前記貯留タンク内の雨水を該貯留タンクが実質的に空になるまで自然に排出する全量排出口が前記貯留タンクに連通して形成されている、雨水制御装置。
【請求項２】
請求項１に記載の雨水制御装置において、前記雨水管が上下に二分割され、上側管の下端と下側管の上端とを包み込むように前記雨水管の回りに前記貯留タンクが配設され、該貯留タンクは、上下方向に延びる筒状のものであり、下端に内向きフランジを備え、該内向きフランジは、前記下側管の外周面に対して液密に連結され、前記上側管と前記下側管との間の隙間が前記貯留タンクの内部に連通しており、前記下側管の内部に前記流量絞りが設けられ、該流量絞りの雨水通過孔が前記全量排出口となる、雨水制御装置。
【請求項３】
請求項１に記載の雨水制御装置において、前記雨水管の一部を切欠いて開口部が形成され、該開口部を包み込むように前記雨水管の回りに前記貯留タンクが配設され、該貯留タンクは、上下方向に延びる筒状のものであり、下端に内向きフランジを備え、該内向きフランジは、前記雨水管の外周面に対して液密に連結され、前記開口部が前記貯留タンクの内部に連通しており、前記開口部の下流側の雨水管の内部に前記流量絞りが設けられ、該流量絞りの雨水通過孔が前記全量排出口となる、雨水制御装置。
【請求項４】
請求項１に記載の雨水制御装置において、前記雨水管の一部を切欠いて開口部が形成され、該開口部を包み込むように前記雨水管の回りに前記貯留タンクが配設され、該貯留タンクは、上下方向に延びる筒状のものであり、下端に内向きフランジを備え、該内向きフランジは、前記雨水管の外周面に対して液密に連結され、前記開口部が前記貯留タンクの内部に連通しており、前記開口部の下流側の雨水管の内部に前記流量絞りが設けられ、前記貯留タンクの内部の下部に位置し且つ前記流量絞りよりも下流側に位置する戻し穴が前記雨水管の一部を切り欠いて設けられ、前記戻し穴が前記全量排出口となる、雨水制御装置。
【請求項５】
請求項２乃至４のいずれかに記載の雨水制御装置において、前記貯留タンクが、前記雨水管を包囲するように組み合わせ可能な分割部品の液密な結合により形成される、雨水制御装置。
【請求項６】
請求項２乃至５のいずれかに記載の雨水制御装置において、前記貯留タンクが円筒型で、前記雨水管に対して偏心して設置される、雨水制御装置。
【請求項７】
請求項１に記載の雨水制御装置において、前記貯留タンクが上下方向に延びる筒状のものであり、前記貯留タンクが前記雨水管とは別に配設され、該雨水管内の雨水を前記貯留タンクへと流入させる過剰水移送管が配設され、該過剰水移送管と前記雨水管との接続部よりも前記雨水管の下流側に前記流量絞りが配設され、前記貯留タンクの下部が戻し管によって前記流量絞りよりも下流側で前記雨水管に連通され、前記戻し管が前記全量排出口となる、雨水制御装置。
【請求項８】
請求項１に記載の雨水制御装置において、前記貯留タンクが上下方向に延びる筒状のものであり、前記貯留タンクが前記雨水管とは別に配設され、該雨水管内の雨水を前記貯留タンクへと流入させる過剰水移送管が配設され、該過剰水移送管と前記雨水管との接続部よりも前記雨水管の下流側に前記流量絞りが配設され、前記貯留タンクの下部が戻し管によって前記流量絞りよりも上流側で前記雨水管に連通され、前記戻し管又は前記流量絞りの雨水通過孔が前記全量排出口となる、雨水制御装置。
【請求項９】
請求項８に記載の雨水制御装置において、前記戻し管が前記過剰水移送管を兼ね、前記流量絞りの雨水通過孔が前記全量排出口となる、雨水制御装置。
【請求項１０】
請求項１に記載の雨水制御装置において、前記貯留タンクが上下方向に延びる筒状のものであり、前記貯留タンクが前記雨水管とは別に配設され、該雨水管内の雨水を前記貯留タンクへと流入させる過剰水移送管が配設され、該過剰水移送管と前記雨水管との接続部よりも前記雨水管の下流側に前記流量絞りが配設され、前記貯留タンクの下部の一部を切り欠いて前記全量排出口が形成されている、雨水制御装置。
【請求項１１】
請求項１乃至１０のいずれかに記載の雨水制御装置において、前記貯留タンクの上端の少なくとも一部が開放され、該上端開放部が前記過剰水排出口とされている、雨水制御装置。
【請求項１２】
請求項１乃至１０のいずれかに記載の雨水制御装置において、前記貯留タンクの上端が密閉され、前記貯留タンクの周壁の上部の一部を切り欠いて前記過剰水排出口が設けられる、雨水制御装置。
【請求項１３】
請求項７又は８に記載の雨水制御装置において、前記貯留タンクの上端の少なくとも一部が開放され、該上端開放部が前記過剰水排出口とされ、前記貯留タンクの前記上端開放部に向けて前記過剰水移送管の外端部が開口している、雨水制御装置。
【請求項１４】
請求項１乃至１３のいずれかに記載の雨水制御装置において、前記流量絞りが流量調整可能なものである、雨水制御装置。
【請求項１５】
請求項１乃至１４のいずれかに記載の雨水制御装置において、前記流量絞りとして、円形又は半円形の雨水通過孔を流量絞り面の片側に寄せて設けたものを少なくとも二つ備え、前記流量絞り面同士を重ね合わせた状態で前記流量絞りの重合角度位置が変更可能とされている、雨水制御装置。
【請求項１６】
請求項１乃至１５のいずれかに記載の雨水制御装置において、前記流量絞りの雨水通過率が５％乃至４０％である、雨水制御装置。
【請求項１７】
請求項１乃至１６のいずれかに記載の雨水制御装置において、前記貯留タンク内の前記許容最大貯水量の雨水が３０分程度で実質的に全て排出されるように、前記貯留タンクの容量と前記全量排出口からの自然排水流量とが設定されている、雨水制御装置。
【請求項１８】
請求項１乃至１０、１４乃至１７のいずれかに記載の雨水制御装置において、前記過剰水排出口が、前記貯留タンクの上流側において前記雨水管に形成されている、雨水制御装置。
【請求項１９】
請求項１乃至１８のいずれかに記載の雨水制御装置において、前記過剰水排出口から排出される過剰水が、前記流量絞りの下流側で前記雨水管内に戻される、雨水制御装置。
【請求項２０】
請求項４に記載の雨水制御装置において、前記流量絞りの下流側且つ前記戻し穴の上流側で前記雨水管を切り欠いて前記過剰水排出口が形成され、過剰水が前記過剰水排出口から前記雨水管内に戻される、雨水制御装置。
【請求項２１】
請求項１乃至２０のいずれかに記載の雨水制御装置において、前記貯留タンクの少なくとも一部が防水性を有する布又はシートで構成され、該布又はシートの柔軟性により前記貯留タンクが全体として拡縮自在とされている、雨水制御装置。
【請求項２２】
請求項２１に記載の雨水制御装置において、前記貯留タンクを縮小状態へ向けて常時付勢する付勢手段であって、前記貯留タンクへの雨水の流入により前記貯留タンクの拡張を許容する付勢手段を備える、雨水制御装置。
【請求項２３】
請求項１乃至２０のいずれかに記載の雨水制御装置において、前記貯留タンクの少なくとも一部が防水性を有する伸縮シートで構成され、該シートの伸縮性により前記貯留タンクが全体として拡縮自在とされている、雨水制御装置。
【請求項２４】
請求項２３に記載の雨水制御装置において、前記貯留タンクの所定以上の拡張を規制するバンドを備える、雨水制御装置。
【発明の詳細な説明】
【技術分野】
【０００１】
本発明は、住宅の雨水管から下水道等へ向けて流れる雨水の流量を制御する雨水制御装置に関するものである。
【背景技術】
【０００２】
住宅の屎尿や生活排水等の汚水を一旦貯留して下水道へと排出する汚水桝（特許文献１参照）には、図１３に示すように、住宅３０の雨樋（雨水管）３１から雨水が導入される場合がある。すなわち、住宅の軒樋３２が縦樋３３を介して、地中に埋設される汚水桝３４に連通されるタイプであり、汚水桝３４が雨水桝（特許文献２参照）を兼ねるものである。この場合、住宅３０で発生した汚水と雨樋３１に流入した雨水は、共に汚水桝３４に流入し、この汚水桝３４から下水道へと排出される。
【０００３】
このタイプの汚水桝３４において、雨樋３１から汚水桝３４に流入する雨水の量が汚水桝３４から下水道への排水量を超えるほど降雨量が多い場合には、住宅の汚水源３５（トイレ、風呂、台所等）へと汚水桝３４から、雨水を含む汚水が逆流してしまい、住宅内が水浸しになってしまう危険がある。
【０００４】
図１３には、大雨の影響で縦樋３３及び軒樋３２の中が満水状態となり、軒樋３２から雨水Ｒが溢れ出ている状態が示されている。雨樋３１から流れ込む雨水で汚水桝３４が満杯になってしまうと、汚水桝３４内の汚水が汚水源３５としてのトイレから住宅内へと流れ込む。雨樋３１を構成する軒樋３２は汚水桝３４よりもはるかに高い位置にあるので、軒樋３２に流れ込む雨水によって汚水桝３４内が加圧され、汚水源３５への汚水の逆流が促進される。地球温暖化の影響からか、局地的な豪雨に見舞われることが多い昨今、この問題は甚だ深刻である。
【０００５】
また、雨樋の雨水が雨水専用の雨水桝に導入される場合にも、大雨で雨水桝が満杯になり下水道設備に排出できない時には、軒樋から雨水が溢れて軒下に流れ出す事態が発生する。
【０００６】
さらにまた、高層の集合住宅では、大雨の際に雨水桝が満杯になり、又は縦樋が細いと上層階の雨水だけで縦樋が満杯になり、低階層の住宅のベランダに雨水が滞留してしまうという問題も生ずる。
【０００７】
そこで、特許文献３，４に示すように、下水道等へ向けて縦樋内を通過する雨水の流量を規制し、規制された雨水を貯水タンクに溜めることで、前記のような問題を解決しようとするものが提案されている。
【先行技術文献】
【特許文献】
【０００８】
【特許文献１】特開平９−２７３１６６号公報
【特許文献２】特開平７−２９２７５８号公報
【特許文献３】実開平７−２５０５５号公報
【特許文献４】特開２００８−１２１２７４号公報
【発明の概要】
【発明が解決しようとする課題】
【０００９】
しかし、特許文献３，４の提案では、貯水タンクが満杯になってしまうと、縦樋内を下水道等へ向けて雨水が流れなくなってしまい、前記と同様の問題が発生してしまう。いずれの文献にも、貯水タンクには開閉自在な排水口（特許文献３では第一排水口３、特許文献４では雨水取出し蛇口）が設けられているが、これらの排水口は人為的に開閉操作されるもので、貯水タンクからの排水を自動的に制御するものではない。
【００１０】
また、特許文献３では、一応、第二排水口４より少量の排水が常時行われており、降雨がやんだ後も自然に排水できると開示されているが、特許文献３で例示されている容量３０００リットルの貯水タンクから自然に排水する時間は相当に長いと思われる。このため、断続的な豪雨に見舞われた場合、貯水タンクが一旦満杯になってしまうと、それ以後の豪雨には自然排水では対応できない心配がある。しかも自然に排水するのは、住宅敷地の庭先であり、本当に「降雨がやむまで」の一回限りの貯留が目的となっている。高層住宅のベランダには適用できない。
【００１１】
さらに、特許文献３の提案では、容量３０００リットル等の折り畳み可能な袋体が使用され、特許文献４の提案では、ゴミ排出パイプ８が露出しているが、家屋の縦樋の傍にこれらのものが存在するのは、スペース的にも美観的にも問題がある。
【００１２】
本発明は、前記のような事情に鑑みてなされたものであり、一時的な集中豪雨があっても、下水道等が機能不全に陥ったり、雨水管内に雨水が滞留したりすることのない、雨水制御装置を提供しようとするものである。特に、住宅の雨水管から下水道等への雨水の流入量を制限し、流入が制限された雨水の貯留機能及び排出機能を有し、降雨量が制限値を下回ったら貯留された雨水が自然排水され、省スペース的で美感も良い、雨水制御装置を提供しようとするものである。
【課題を解決するための手段】
【００１３】
前記課題を解決するため、本発明に係る雨水制御装置は、住宅の雨水管における雨水の流量を制限する流量絞りと、該流量絞りで流量制限される雨水を受け入れる貯留タンクと、を備え、該貯留タンクの許容最大貯水量を超える雨水を排出する過剰水排出口が前記貯留タンクに連通して形成されるとともに、前記貯留タンク内の雨水を該貯留タンクが実質的に空になるまで自然に排出する全量排出口が前記貯留タンクに連通して形成されることを特徴とする（請求項１）。
【００１４】
本発明によれば、雨水管における雨水の流量が流量絞りで制限され、流量制限された雨水は、貯留タンクに貯留される。これにより、一時的な集中豪雨があっても、下水道等が機能不全に陥ることが防止できる。特に、多くの市民や自治体の協力を得て大規模に採用することで、より大きな効果が得られる。
【００１５】
貯留タンク内の水量が許容最大貯水量に到達すると、それを超える雨水は過剰水排出口から排出される。よって、貯留タンクが満杯になった後も、雨水管内に雨水が滞留することがない。
【００１６】
豪雨が収まり貯留タンクへの雨水の流入が停止すると、貯留タンク内の雨水が実質的に空になるまで全量排出口から自然に排出される。このため、次の豪雨にも対応できる。なお、貯留タンクが許容最大貯水状態から実質的に空になるまでの時間は、貯留タンクの容量と全量排出口の大きさとによって定まる。
【００１７】
なお、本発明に係る雨水制御装置は、戸建て住宅の雨水管に対して適用できるほか、高層住宅の各戸のベランダの雨水管に対しても適用できることは勿論である。
【００１８】
好適な実施の一形態として、前記雨水管が上下に二分割され、上側管の下端と下側管の上端とを包み込むように前記雨水管の回りに前記貯留タンクが配設され、該貯留タンクは、上下方向に延びる筒状のものであり、下端に内向きフランジを備え、該内向きフランジは、前記下側管の外周面に対して液密に連結され、前記上側管と前記下側管との間の隙間が前記貯留タンクの内部に連通しており、前記下側管の内部に前記流量絞りが設けられ、該流量絞りの雨水通過孔が前記全量排出口となる態様を例示する（請求項２）。
【００１９】
この場合、流量絞りで流量を制限された雨水は、上側管と下側管との間の隙間から貯留タンク内に流入する。豪雨が収まり降雨量が流量絞りによる制限値を下回ると、貯留タンク内の雨水が前記隙間と流量絞りとを通って下流側へと自然に流れ出る。このとき、流量絞りの雨水通過孔が全量排出口となるので、流量絞りの雨水通過孔の大きさ（雨水通過率）に依存して、貯留タンクの雨水の全量排出時間が定まる。
【００２０】
この実施の形態は、上下方向に延びる筒状の貯留タンクを、雨水管を包み込むように雨水管の回りに配設する構成であるので、省スペース的で美感も良い。
【００２１】
好適な実施の一形態として、前記雨水管の一部を切欠いて開口部が形成され、該開口部を包み込むように前記雨水管の回りに前記貯留タンクが配設され、該貯留タンクは、上下方向に延びる筒状のものであり、下端に内向きフランジを備え、該内向きフランジは、前記雨水管の外周面に対して液密に連結され、前記開口部が前記貯留タンクの内部に連通しており、前記開口部の下流側の雨水管の内部に前記流量絞りが設けられ、該流量絞りの雨水通過孔が前記全量排出口となる態様を例示する（請求項３）。この場合、前記開口部が前記隙間（上側管と下側管との間の隙間）と同じ作用を奏する。
【００２２】
好適な実施の一形態として、請求項１に記載の雨水制御装置において、前記雨水管の一部を切欠いて開口部が形成され、該開口部を包み込むように前記雨水管の回りに前記貯留タンクが配設され、該貯留タンクは、上下方向に延びる筒状のものであり、下端に内向きフランジを備え、該内向きフランジは、前記雨水管の外周面に対して液密に連結され、前記開口部が前記貯留タンクの内部に連通しており、前記開口部の下流側の雨水管の内部に前記流量絞りが設けられ、前記貯留タンクの内部の下部に位置し且つ前記流量絞りよりも下流側に位置する戻し穴が前記雨水管の一部を切り欠いて設けられ、前記戻し穴が前記全量排出口となる態様を例示する（請求項４）。この場合、戻し穴が全量排出口となるので、戻し穴の大きさに依存して、貯留タンクの雨水の全量排出時間が定まる。
【００２３】
好適な実施の一形態として、前記貯留タンクが、前記雨水管を包囲するように組み合わせ可能な分割部品の液密な結合により形成される態様を例示する（請求項５）。このようにすれば、既設の雨水管に対して貯留タンクを後付けする場合の後付け作業が簡単且つ迅速に行える利点がある。
【００２４】
好適な実施の一形態として、前記貯留タンクが円筒型で、前記雨水管に対して偏心して設置される態様を例示する（請求項６）。この場合、雨水管の中心軸線に対して貯留タンクの中心軸線が住宅の壁面から遠い位置となるように偏心させて、雨水管に対して貯留タンクを設置する。これにより、雨水管と住宅の壁面との間の隙間が小さい場合でも、貯留タンクを雨水管に対して確実に取り付けることができる。
【００２５】
好適な実施の一形態として、前記貯留タンクが上下方向に延びる筒状のものであり、前記貯留タンクが前記雨水管とは別に配設され、該雨水管内の雨水を前記貯留タンクへと流入させる過剰水移送管が配設され、該過剰水移送管と前記雨水管との接続部よりも前記雨水管の下流側に前記流量絞りが配設され、前記貯留タンクの下部が戻し管によって前記流量絞りよりも下流側で前記雨水管に連通され、前記戻し管が前記全量排出口となる態様を例示する（請求項７）。
【００２６】
この実施の一形態では、流量絞りで流量を制限された雨水は、過剰水移送管を通って貯留タンク内に流入する。豪雨が収まり降雨量が流量絞りによる制限値を下回ると、貯留タンク内の雨水が前記戻し管を通って流量絞りよりも下流側で雨水管に流入する。このとき、戻し管が全量排出口となるので、戻し管の内径に依存して、貯留タンクの雨水の全量排出時間が定まる。
【００２７】
好適な実施の一形態として、前記貯留タンクが上下方向に延びる筒状のものであり、前記貯留タンクが前記雨水管とは別に配設され、該雨水管内の雨水を前記貯留タンクへと流入させる過剰水移送管が配設され、該過剰水移送管と前記雨水管との接続部よりも前記雨水管の下流側に前記流量絞りが配設され、前記貯留タンクの下部が戻し管によって前記流量絞りよりも上流側で前記雨水管に連通され、前記戻し管又は前記流量絞りの雨水通過孔が前記全量排出口となる態様を例示する（請求項８）。
【００２８】
この実施の一形態では、流量絞りで流量を制限された雨水は、戻し管の開口面積をごく小さくした場合には、主として過剰水移送管を通って貯留タンク内に流入する。豪雨が収まり降雨量が流量絞りによる制限値を下回ると、貯留タンク内の雨水が前記戻し管を通って流量絞りよりも上流側で雨水管に流入する。このとき、戻し管又は流量絞りの雨水通過孔が全量排出口となるので、戻し管の内径又は流量絞りの雨水通過孔の大きさ（雨水通過率）に依存して、貯留タンクの雨水の全量排出時間が定まる。
【００２９】
好適な実施の一形態として、前記戻し管が前記過剰水移送管を兼ね、前記流量絞りの雨水通過孔が前記全量排出口となる態様を例示する（請求項９）。この場合、戻し管は、流量絞りで流量が制限された雨水を滞りなく貯留タンクに流入させることができるように、十分な大きさの内径を有することが必要となる。よって、前記流量絞りの雨水通過孔の大きさ（雨水通過率）に依存して、貯留タンクの雨水の全量排出時間が定まる。
【００３０】
好適な実施の一形態として、前記貯留タンクが上下方向に延びる筒状のものであり、前記貯留タンクが前記雨水管とは別に配設され、該雨水管内の雨水を前記貯留タンクへと流入させる過剰水移送管が配設され、該過剰水移送管と前記雨水管との接続部よりも前記雨水管の下流側に前記流量絞りが配設され、前記貯留タンクの下部の一部を切り欠いて前記全量排出口が形成される態様を例示する（請求項１０）。
【００３１】
この実施の一形態では、流量絞りで流量を制限された雨水は、過剰水移送管を通って貯留タンク内に流入する。豪雨が収まり降雨量が流量絞りによる制限値を下回ると、貯留タンク内の雨水が、貯留タンクの下部の一部を切り欠いて形成された全量排出口から外部へ排出される。このとき、全量排出口の大きさに依存して、貯留タンクの雨水の全量排出時間が定まる。
【００３２】
好適な実施の一形態として、前記貯留タンクの上端の少なくとも一部が開放され、該上端開放部が前記過剰水排出口とされる態様を例示する（請求項１１）。
【００３３】
好適な実施の一形態として、前記貯留タンクの上端が密閉され、前記貯留タンクの周壁の上部の一部を切り欠いて前記過剰水排出口が設けられる態様を例示する（請求項１２）。すなわち、前記過剰水排出口は、上向きである必要はなく、貯留タンクに対して横向きに配設することもできるということである。
【００３４】
好適な実施の一形態として、前記貯留タンクの上端の少なくとも一部が開放され、該上端開放部が前記過剰水排出口とされ、前記貯留タンクの前記上端開放部に向けて前記過剰水移送管の外端部が開口している態様を例示する（請求項１３）。前記上端開放部に網状等の通水可能なゴミ除けを設けてもよい
【００３５】
好適な実施の一形態として、前記流量絞りが流量調整可能なものである態様を例示する（請求項１４）。
【００３６】
好適な実施の一形態として、前記流量絞りとして、円形又は半円形の雨水通過孔を流量絞り面の片側に寄せて設けたものを少なくとも二つ備え、前記流量絞り面同士を重ね合わせた状態で前記流量絞りの重合角度位置が変更可能とされる態様を例示する（請求項１５）。
【００３７】
好適な実施の一形態として、前記流量絞りの雨水通過率が５％乃至４０％である態様を例示する（請求項１６）。
【００３８】
好適な実施の一形態として、満杯になった前記貯留タンクが３０分程度で実質的に空になるように、前記貯留タンクの容量と前記貯留タンクからの自然排水流量とが設定されている態様を例示する（請求項１７）。
【００３９】
好適な実施の一形態として、前記過剰水排出口が、前記貯留タンクの上流側において前記雨水管に形成される態様を例示する（請求項１８）。
【００４０】
好適な実施の一形態として、前記過剰水排出口から排出される過剰水が、前記流量絞りの下流側で前記雨水管内に戻される態様を例示する（請求項１９）。このようにすれば、過剰水排出口から排出される過剰水が、住宅の敷地やベランダに流出することが防止される。
【００４１】
好適な実施の一形態として、前記流量絞りの下流側且つ前記戻し穴の上流側で前記雨水管を切り欠いて前記過剰水排出口が形成され、過剰水が前記過剰水排出口から前記雨水管内に戻される態様を例示する（請求項２０）。
【００４２】
好適な実施の一形態として、前記貯留タンクの少なくとも一部が防水性を有する布又はシートで構成され、該布又はシートの柔軟性により前記貯留タンクが全体として拡縮自在とされる態様を例示する（請求項２１）。このようにすれば、非降雨時には貯留タンクが縮小状態でコンパクトとなり、大量降雨時には、貯留タンクによる大量貯水機能が得られて、好適である。
【００４３】
好適な実施の一形態として、前記貯留タンクを縮小状態へ向けて常時付勢する付勢手段であって、前記貯留タンクへの雨水の流入により前記貯留タンクの拡張を許容する付勢手段を備える態様を例示する（請求項２２）。このようにすれば、降雨量に応じて貯留タンクが自動的に拡縮する。
【００４４】
好適な実施の一形態として、前記貯留タンクの少なくとも一部が防水性を有する伸縮シートで構成され、該シートの伸縮性により前記貯留タンクが全体として拡縮自在とされる態様を例示する（請求項２３）。このようにすれば、非降雨時には貯留タンクが縮小状態でコンパクトとなり、大量降雨時には、貯留タンクによる大量貯水機能が得られて、好適である。
【００４５】
好適な実施の一形態として、前記貯留タンクの所定以上の拡張を規制するバンドを備える態様を例示する（請求項２４）。
【図面の簡単な説明】
【００４６】
【図１】本発明の実施の一形態に係る雨水制御装置を含む、雨水管及び汚水桝の配管系の説明図である。
【図２】図１の要部の拡大断面図である。
【図３】図２の変形例の説明図である。
【図４】図２の変形例の説明図である
【図５】図２の変形例の説明図である。
【図６】図２の変形例の説明図である。
【図７】図４の変形例の説明図である。
【図８】図７の変形例の説明図である。
【図９】図８の変形例の説明図である。
【図１０】図７の変形例の説明図である。
【図１１】図７の変形例の説明図である。
【図１２】流量絞りによる雨水通過率を調整可能とするための具体例を示す説明図である。
【図１３】従来例の雨水管及び汚水桝の配管系の説明図である。
【図１４】図３の変形例の説明図である
【図１５】図７の変形例の説明図である。
【図１６】図８の変形例の説明図である。
【図１７】図９の変形例の説明図である。
【図１８】図１１の変形例の説明図である。
【図１９】図１８の変形例の説明図である。
【図２０】図７の変形例の説明図である。
【図２１】図４の変形例の説明図である。
【図２２】図２１の変形例の説明図である。
【図２３】図２２の変形例の説明図である。
【図２４】図２２の変形例の説明図である。
【図２５】図２２の変形例の説明図である。
【図２６】図７の変形例の説明図である。
【発明を実施するための形態】
【００４７】
以下、添付図面を参照して、本発明の実施の形態について説明する。
【００４８】
図１に示すように、住宅１に対応する汚水桝２が住宅敷地の地中に埋設され、この汚水桝（宅内汚水桝）２には、汚水管３と雨水管４とが連通する。汚水桝２は、それ自体公知のものであり、屎尿や生活雑排水等の住宅の汚水を受け入れて貯留し、その貯留水を、下水排水管５を通して下水道へと排出する。汚水桝自体の構成は本発明の要旨とは関係がないので説明を省略する。
【００４９】
図１では、汚水源６及び汚水管３の一例として、住宅のトイレ（便器）と、このトイレから汚水桝２へと延びる汚水管を図示してある。図示してはいないが、他の汚水源６として、台所の流し、風呂場、洗濯場等が挙げられる。
【００５０】
雨水管４は、地上管７と埋設管８とからなる。地上管７は、住宅の雨樋であり、住宅１の軒に沿って配設される軒樋９と、この軒樋９から住宅の外部を地面まで延びる縦樋１０とで構成される。この縦樋１０は、地中に配設される埋設管８に接続され、この埋設管８が汚水桝２に接続される。図１の例では、一つの軒樋に対し、縦樋１０と埋設管８との組合せが二系統配設されているが、縦樋１０と埋設管８との組み合わせは少なくとも一系統あればよい。
【００５１】
なお、図１の別例として、図１０に示すように、汚水桝２に変えて雨水専用の雨水桝２ａに縦樋１０の雨水が導入される態様であってもよい。
【００５２】
図１に示すように、縦樋１０の下部には貯留タンク１９が配設される。
【００５３】
図２に示すように、貯留タンク１９は、上下方向に延びる筒状の部材である。該貯留タンク１９は、上下に二分割された縦樋１０の、上側樋（上側管）１３の下端１３ａと下側樋（下側管）１４の上端１４ｂを包み込むように、雨水管４の回りに配設される。貯留タンク１９は円筒型でも角筒型でもそれらの結合型でもよいが、縦樋１０が通常円筒状なので、それに合わせて円筒状とすると外観上の調和がよいと思われる。
【００５４】
既設の縦樋１０に設置する場合には、縦樋１０を包囲するように組み合わせ可能な分割部品の液密な結合によって貯留タンク１９が形成される態様とすると好適である。例えば、二つの半円筒型の分割部品の結合により縦樋１０の周囲に貯留タンク１９が円筒型に形成される態様や、半円筒型又は断面Ｕ字形の第一の分割部品と平板状の第二の分割部品との結合により、縦樋１０の周囲に貯留タンク１９が形成される態様である。このようにすれば、既設の縦樋に対して貯留タンクを後付けする場合の後付け作業が簡単且つ迅速に行える利点がある。
【００５５】
貯留タンク１９は、タンク底面となる内向きフランジ１８を下端に備え、上端の少なくとも一部が開放されている。下端の内向きフランジ１８は、下側樋１４の外周面に対して液密に連結される。上側樋１３と下側樋１４の間の隙間が貯留タンク１９の内部に連通しており、縦樋１０を流れる雨水が貯留タンク１９内にも流入できるようになっている。貯留タンク１９の上端開口部が過剰水排出口２０となる。図２では、貯留タンク１９の上端を全て開口させて過剰水排出口２０としてあるが、これには限定されず、貯留タンク１９の上端の一部を開口させて過剰水排出口２０とすることもできる。
【００５６】
内向きフランジ１８は、貯留タンク１９の底面となるとともに、貯留タンク１９と縦樋１０の固定の役割も果たす。
【００５７】
図２の例では、過剰水排出口２０を自動的に開閉する蓋２１が設けられる。この蓋２１は、過剰水排出口２０を常時は閉じ、且つ、貯留タンク１９内の水圧によって過剰水排出口２０を自動的に開放する。
【００５８】
蓋２１は、常時は蓋受け２２によって支持される。この蓋受け２２は、網状等の通水可能なものであり、貯留タンク１９の内周面と上側樋１３の外周面との間に配設されて、貯留タンク１９の内部の上部に位置する。蓋２１の中央部には、上側樋１３を受け入れる孔２３が形成される。この孔２３で案内されて蓋２１が上側樋１３に沿って上下動し、貯留タンク１９内の水圧に応じて過剰水排出口２０が自動的に開閉される。
【００５９】
また、蓋受け２２は、貯留タンク１９と縦樋１０の固定の役割も果たす。
【００６０】
蓋２１を設けることで、過剰水の排出が必要なとき以外は常時、過剰水排出口２０が閉じられるので、過剰水排出口２０から異物が入り込んでしまうことが防止できる。蓋２１を設けることは、過剰水排出口２０を上向きにした場合に特に有効となる。但し、蓋２１の配設は任意である。
【００６１】
なお、蓋２１は、自重のみによって過剰水排出口２０を閉じるものであってもよいし、自重プラスばね力で過剰水排出口２０を閉じるものであってもよい。
【００６２】
図２の例では、下側樋１４内に流量絞り２４が設けられる。流量絞り２４は、雨水通過孔２４ａと流量絞り面２４ｂとを備え、流量絞り面２４ｂが下側樋１４の流路面積を狭めることで、雨水管４内における雨水の流量を制限する。流量絞り２４によって流量を制限される雨水は、上側樋１３と下側樋１４の間の隙間を通って貯留タンク１９内に溜められる。貯留タンク１９が満杯になるほど雨量が多い場合には、貯留タンクの許容最大貯水量を超える過剰な雨水が蓋受け２２上の蓋２１を押し上げ、過剰水排出口２０から外部へ流出する。
【００６３】
過剰水排出口２０は、貯留タンク１９の許容最大貯水量を超える雨水を外部に排出することにより、流量絞り２４より上流側の雨水管４内に雨水が滞留することを防止するためのものである。よって、過剰水排出口２０は、豪雨の場合でも流量絞り２４より上流側の雨水管４内に雨水が滞留しないだけの開口面積を必要とする。
【００６４】
同様の理由で、上側樋１３と下側樋１４の間の隙間は、流量絞り２４によって流量が制限された雨水が、縦樋１０内に滞留することなく貯留タンク１９に流入できるだけの大きさが必要である。なお、上側樋１３と下側樋１４の間の隙間の上下寸法は、図３に示すように、貯留タンク１９の上端付近まで拡張することもできる。
【００６５】
流量絞り２４を設けることで、汚水桝２への、ひいては下水道への、雨水の流入量が予め制限されるので、集中豪雨時における下水道の機能不全や、汚水桝２から汚水源６への汚水の逆流が防止できる。貯留タンク１９の許容最大貯水量を超える雨水は過剰水排出口２０から外部へ排出されるので、流量絞り２４より上流側の雨水管４内に雨水が滞留することはない。よって、縦樋１０が雨水で満たされてしまい、軒樋９から軒先へと雨水が溢れ落ちる等の問題も起きない。
【００６６】
一時的な集中豪雨が小雨になり、貯留タンク１９への雨水の流入が停止すれば、貯留タンク１９に貯留された雨水が流量絞り２４の雨水通過孔２４ａを通って自然に下流側へと流れ出る。すなわち、図２の例では、流量絞り２４の雨水通過孔２４ａが、貯留タンク１９内の雨水を該貯留タンク１９が実質的に空になるまで自然に排出するための全量排出口となる。したがって、貯留タンクの１９の容量と、流量絞り２４の雨水通過孔２４ａの大きさとにより、貯留タンク１９内の雨水の全量排出時間が定まることになる。貯留タンク１９が空になることにより、次の豪雨にも対応できる。
【００６７】
後で図１２を参照して説明するように、流量絞り２４の雨水通過率が無段階に調整できる態様とするのが好ましい。これにより、流量絞り２４を通過する雨水の流量調整が可能となる。流量絞りの２４の雨水透過率は、雨水で満杯となった貯留タンク１９が３０分程度で実質的に空になるように調整するのが好ましい。
【００６８】
図２の例は、上下方向に延びる筒状の貯留タンク１９を、縦樋１０を包み込むように縦樋１０の回りに配設する構成であるので、省スペース的で美感も良い。
【００６９】
なお、前記構成に代えて、図３に示すように、貯留タンク１９の上端開放部の過剰水排出口２０が蓋２０ａで塞がれて密閉される構成とし、貯留タンク１９の周囲の上部の一部を切り欠き、上端部に近い位置に新たな過剰水排出口２０ｂを横向きに設けても良い。この場合、横向きの過剰水排出口２０ｂを、水圧に応じて自動開閉自在な図示しない蓋で覆う構成としてもよいし、該蓋のない構成とすることもできる。
【００７０】
図３において新たに設けた過剰水排出口２０ｂも、貯留タンク１９の許容最大貯水量を超える雨水を外部に排出することにより、流量絞り２４より上流側の雨水管４内に雨水が滞留することを防止するためのものである。よって、過剰水排出口２０ｂは、豪雨の場合でも、流量絞り２４より上流側の雨水管４内に雨水を滞留させないだけの開口面積を必要とすることは勿論である。
【００７１】
図４は図２の変形例である。よって、図２の例と同じ部分には図２と同じ符号を付して重複する説明を省略する。流量絞り２４は、貯留タンク１９の上部に移動してある。縦樋１０の一部を切欠いて形成した開口部４０が流量絞り２４の上流側に配設される。貯留タンク１９の内周面と縦樋１０の外周面と貯留タンク１９の下端の内向きフランジ１８とで画成される空間が貯水域となる。貯留タンク１９の容量は、例えば２００〜３００リットルとする。
【００７２】
内向きフランジ１８より上方位置で縦樋１０の一部を切欠いて、戻し穴９９が形成される。戻し穴９９は、集中豪雨が収まった後に、貯留タンク１９内の雨水を流量絞り２４の下流側の縦樋１０へ少量ずつゆっくりと戻すための全量排出口である。戻し穴９９の大きさを適宜に設定することで、戻し穴９９から縦樋１０への雨水の戻り時間（貯留タンク１９内の雨水の全量排出時間）を調整できる。１５分から４５分程度で貯留タンク１９が実質的に空になるように戻し穴９９の大きさを設定するのが良い。
【００７３】
流量絞り２４の作用で開口部４０から溢れ出た過剰の雨水は、貯留タンク１９内に流れ落ちて下から順に貯留される。貯留タンク１９の許容最大貯水量を超える雨水は、蓋２１を押し上げて貯留タンク１９の上端の過剰水排出口２０から外に流れ出る。一時的な集中豪雨が小雨になり、縦樋１０内の雨水の全量が流量絞り２４を通過できる状態になると、貯留タンク１９への雨水の流入はなくなり、貯留タンク１９内の水圧の低下により、蓋２１が自然に閉まる。その後、貯留タンク１９内の雨水は、貯留タンク１９の下部の戻し穴９９から縦樋１０へと流出する。そして、再び一時的な集中豪雨が来ると、貯留タンク１９の貯水機能が再び発揮される。
【００７４】
なお、図４においても、図３の例と同様に、貯留タンク１９の上端の過剰水排出口２０が蓋で塞がれて密閉される構成とし、貯留タンク１９の周囲の上部の一部を切り欠き、上端部に近い位置に過剰水排出口２０の代わりに新たな過剰水排出口２０ｂ（逃げ口）を横向きに設けても良い。この場合、横向きの過剰水排出口２０ｂ（逃げ口）を、水圧に応じて自動開閉自在な図示しない蓋で覆う構成としてもよいし、該蓋のない構成とすることもできる。
【００７５】
過剰水排出口２０，２０ｂは、貯留タンク１９の許容最大貯水量を超える雨水を外部に排出することにより、流量絞り２４より上流側の雨水管４内に雨水が滞留することを防止するためのものである。よって、過剰水排出口２０，２０ｂは、豪雨の場合でも、流量絞り２４より上流側の雨水管４内に雨水を滞留させないだけの開口面積を必要とすることは勿論である。
【００７６】
同様の理由で、開口部４０の大きさは、流量絞り２４によって流量が制限された雨水が、縦樋１０内に滞留することなく貯留タンク１９に流入できるだけの大きさとすることが必要である。
【００７７】
図５は図２の変形例である。よって、図２の例と同じ部分には図２と同じ符号を付して重複する説明を省略する。図２の例との違いは、雨水管としての縦樋を上下に二分割することに代えて、図４と同様に縦樋の一部を切欠いて開口部４０を形成し、切り欠いた開口部４０の下流側の縦樋１０の内部に流量絞り２４が設けられた点である。開口部４０は、貯留タンク１９内で過剰水排出口２０と連通する。
【００７８】
図５の例では、後で図１２を参照して説明するように、重ね合わせて配設される二つの流量絞り２４，２４の片側に寄せた雨水通過孔４４，４４の重なりの小穴４４ａが、貯留タンク１９内の雨水を該貯留タンク１９が実質的に空になるまで自然に排出するための全量排出口となる。したがって、貯留タンク１９の容量と、流量絞り２４，２４の片側に寄せた雨水通過孔４４，４４の重なりの小穴４４ａの大きさとにより、貯留タンク１９内の雨水の全量排出時間が定まることになる。
【００７９】
図６も図２の変形例である。よって、図２の例と同じ部分には図２と同じ符号を付して重複する説明を省略する。この例は、貯留タンク１９が円筒型で、縦樋１０に対して偏心して設置される態様である。この態様は、図３〜図５にも適用可能である。この態様においては、縦樋１０の中心軸線Ｘ２に対して貯留タンク１９の中心軸線Ｘ１が住宅の壁面Ｗから遠い位置となるように偏心させて、縦樋１０に対して貯留タンク１９を設置する。これにより、縦樋１０と住宅の壁面Ｗとの間の隙間が小さい場合でも、貯留タンク１９を縦樋１０に対して確実に取り付けることができる。
【００８０】
なお、図２〜図６の例は、戸建て住宅の縦樋に適用できることは勿論であるが、高層住宅のベランダの縦樋について適用すると特に好適である。すなわち、高層住宅では、大雨の際に雨水桝が満杯になり、低階層の住宅のベランダに雨水が滞留してしまうという問題が生ずる。そこで、貯留タンク１９を備え、貯水機能を有する図２〜図６の例を、高層住宅の各階（特に低層階）のベランダの縦樋に適用することで、ベランダに雨水が滞留してしまうという問題が解消すると同時に、一時的な集中豪雨時における下水道の機能不全を防止することができる。貯留タンク１９の容量を大きくしておけばおくほど効果が大きいことは勿論である。
【００８１】
図７は、図４の変形例である。よって、図４の例と同じ部分には図４と同じ符号を付して重複する説明を省略する。この例は、縦樋１０と貯留タンク１９を二重円筒構造にして貯留タンク１９を形成することに代えて、貯留タンク１９を縦樋１０とは別に設置するタイプである。図７の例は、特に既設の縦樋１０に付設する場合に好適である。
【００８２】
上下方向に延びる筒状の貯留タンク１９を縦樋１０の横に配設する。貯留タンクは上端と下端が密閉され、上端に近い位置の縦樋１０に管継ぎ手１２が設けられ、この管継ぎ手１２に接続される過剰水移送管１５によって縦樋１０の内部が貯留タンク１９に連通する。縦樋１０内には、管継ぎ手１２の下流側に流量絞り２４を配設する。流量絞り２４で流量を制限される雨水は、過剰水移送管１５を通って貯留タンク２４に流入する。
【００８３】
貯留タンク１９の上部の少なくとも一部を切り欠いて過剰水排出口２０ｂ（逃げ口）が設けられる。図７の例のように、貯留タンク１９の周壁の上部の一部を切り欠いて横向きの過剰水排出口２０ｂ（逃げ口）としてもよいし、貯留タンク１９の上端の少なくとも一部を開放して上向きの過剰水排出口（逃げ口）としてもよいし、過剰水排出口２０ｂを、水圧に応じて自動開閉自在な図示しない蓋で覆う構成としてもよいし、該蓋のない構成とすることもできる。
【００８４】
貯留タンク１９の下部には、縦樋１０に接続される戻し管５０が設けられ、この戻し管５０によって、流量絞り２４よりも下流側で縦樋１０の内部と貯留タンク１９の内部とが連通される。戻し管５０は、図４の戻し穴９９に対応する要素であり、集中豪雨が収まった後に、貯留タンク１９内の雨水を流量絞り２４の下流側の縦樋１０へ少量ずつゆっくりと戻すための全量排出口である。戻し管５０の開口面積を適宜に設定することで、戻し管５０から縦樋１０への雨水の戻り時間を調整できる。
【００８５】
縦樋１０において、流量絞り２４で下流への流量を制限された雨水は、過剰水移送管１５を通って貯留タンク１９内へと流入し、下から順に貯留される。貯留タンク１９の容量を超える雨水は、過剰水排出口２０ｂから外に流れ出る。一時的な集中豪雨が小雨になり、縦樋１０内の雨水の全量が流量絞り２４を通過できる状態になると、貯留タンク１９への雨水の流入はなくなり、貯留タンク１９内の雨水は、貯留タンク１９の下部の戻し管５０を通って縦樋１０へと自然に流出する。そして、再び一時的な集中豪雨が来ると、貯留タンク１９の貯水機能が再び発揮されるようになる。
【００８６】
なお、過剰水移送管１５と過剰水排出口２０ｂは、流量絞り２４によって流量が制限された雨水が、縦樋１０内に滞留することなく貯留タンク１９に流入、又は排出できるだけの大きさが必要であることは勿論である。
【００８７】
図８は、図７の変形例である。よって、図７の例と同じ部分には図７と同じ符号を付して重複する説明を省略する。図８の例は、前記貯留タンク１９の下部が戻し管５０によって前記流量絞り２４よりも下流側で縦樋１０と連通されることに代えて、前記貯留タンク１９の下部が戻し管５０によって前記流量絞り２４よりも上流側で縦樋１０と連通される態様である。すなわち、流量絞り２４が戻し管５０よりも下流側に位置している態様である。この場合、戻し管５０は過剰水移送管１５と同程度の開口面積としても良いし、図７の例と同様に、ごく小さい開口面積とすることもできる。図８は、過剰水移送管１５と同程度の開口面積とした例で示してある。
【００８８】
戻し管５０の開口面積を過剰水移送管１５と同程度にした場合には、流量絞り２４で流量を制限された過剰水は、戻し管５０を通って貯留タンク１９の中を上昇し、貯留タンク１９が満杯になると過剰水排出口２０ｂから自然に外部へと排出される。更なる過剰水は、過剰水移送管１５を通って過剰水排出口２０ｂから排出される。豪雨が収まると、貯留タンク１９内に貯留された雨水は、戻し管５０と流量絞り２４とを通って、下流側へと排出される。排出時の流量は、全量排出口となる流量絞り２４で所定値に規制されるので、戻し管５０の開口面積が流量絞り２４の開口面積より大きくても全く問題はない。
【００８９】
一方、戻し管５０の開口面積を図７と同様にごく小さくした場合には、流量絞り２４で流量を制限された過剰水は、主として過剰水移送管１５を通って貯留タンク１９内に流入する。貯留タンク１９が満杯になると、貯留タンク１９の雨水は過剰水排出口２０ｂから自然に外部へと排出される。豪雨が収まると、貯留タンク１９内に貯留された雨水は、戻し管５０と流量絞り２４とを通って、下流側へと排出される。排出時の流量は、全量排出口となる戻し管５０の開口面積によって規制される。
【００９０】
図９は、図８の変形例である。よって、図８の例と同じ部分には図８と同じ符号を付して重複する説明を省略する。図９は、戻し管５０が過剰水移送管１５も兼ねる態様であり、戻し管５０は図８の過剰水移送管１５と同程度の太さ（開口面積）とされ、過剰水は前記戻し管５０を通り貯留タンク１９の中を上昇、又は降下する構成である。図９の例は、戻し管５０が過剰水移送管１５をも兼ねるので、図８における管継ぎ手１２と過剰水移送管１５が不要である。よって、図９の例は、図８の例よりも簡易な構成となる。図９の例では、流量絞り２４の雨水通過孔２４ａが全量排出口となる。
【００９１】
図７〜図９の例も、貯水機能を有するので、高層住宅のベランダの縦樋について適用すると特に好適である。
【００９２】
図１０は、図７の変形例である。よって、図７の例と同じ部分には図７と同じ符号を付して重複する説明を省略する。この例は、貯留タンク１９の上端の少なくとも一部を開放し、該上端開放部を過剰水排出口２０としたものである。上端開放部である過剰水排出口２０には、網状等の通水可能なゴミ除けを設けてもよい。図１０では、貯留タンク１９の上端を全て開口させて過剰水排出口２０としてあるが、これには限定されず、貯留タンク１９の上端の一部を開口させて過剰水排出口２０とすることもできる。
【００９３】
縦樋１０内に流量絞り２４が配設され、流量絞り２４よりも上流側に配設した管継ぎ手１２から過剰水移送管１５が延び出す。この過剰水移送管１５の外端部１５ａが、貯留タンク１９の上端開放部の上方から貯水タンク１９の内部に向けて開口している。
【００９４】
貯留タンク１９の下部には、縦樋１０に接続される戻し管５０が設けられ、この戻し管５０によって、流量絞り２４よりも下流側で縦樋１０の内部と貯留タンク１９の内部とが連通される。戻し管５０は、図７のものと同じである。
【００９５】
また、図１０の例では、貯留タンク１９の下部に、雨水を外部へ放出するための放水孔８８が配設される。この放水孔８８は、常時開放式のものでも良いし、水道栓のような開閉操作式のものでも良い。
【００９６】
縦樋１０において、流量絞り２４で下流への流量を制限された雨水は、過剰水移送管１５を通って貯留タンク１９内へと流入し、下から順に貯留される。貯留タンク１９の容量を超える雨水は、過剰水排出口２０から外に流れ出る。一時的な集中豪雨が小雨になり、縦樋１０内の雨水の全量が流量絞り２４を通過できる状態になると、貯留タンク１９への雨水の流入はなくなり、貯留タンク１９内の雨水は、貯留タンク１９の下部の戻し管５０を通って縦樋１０へと自然に流出する。そして、再び一時的な集中豪雨が来ると、貯留タンク１９の貯水機能が再び発揮されるようになる。
【００９７】
図１０の例は、都会の戸建て住宅において、大雨で汚水桝２及び／又は雨水桝２ａが満杯にならないように、雨樋の過剰の雨水を自宅の敷地に散布し、浸透させ、又は／及び貯留タンク１９に一時的に多量の雨水を貯留させる態様である。これにより、都市の下水道が満杯になることを防止することができる。
【００９８】
なお、図１０では、縦樋１０内の雨水が雨水専用の雨水桝２ａに流入し、この雨水桝２ａから下水排水管５を通って下水道５５へと雨水が排出される態様を例示しているが、雨水桝２ａに代えて、図１に示す汚水桝２に雨水が導入される態様とすることもできることは勿論である。
【００９９】
図１１は、図７の変形例である。よって、図７の例と同じ部分には図７と同じ符号を付して重複する説明を省略する。この例は、図７のものにおいて、戻し管５０を廃止し、貯留タンク１９の下部の一部を切り欠いて放水孔５１を形成し、この放水孔５１を全量排出口としたものである。貯留タンク１９内の雨水は、放水孔５１を通って外部へと自然に流出する。放水孔５１の大きさに依存して、貯留タンク１９内の雨水の全量排出時間が定まる。
【０１００】
以上の実施の形態において、さらに、次のような変形例又は具体例を採用することもできる。
【０１０１】
（１）流量絞り２４による雨水通過率が縦樋１０の外部から調整可能とされる態様である。雨水通過率の調整は、段階的に行うことができるものでもよいが、図１２の例のように無段階又は連続的に行える態様とすると好適である。
【０１０２】
図１２に示すように、掛止アーム４２を有する流量絞り２４を少なくとも二つ準備する。両者は同一の構成であり、円盤状の流量絞り面４３に雨水通過孔４４を有する。この雨水通過孔４４は円形又は半円形の孔であり、上から見て円形の流量絞り面４３の半分又はそれ以下の面積で、流量絞り面４３の片側に寄せて配設されている。
【０１０３】
二つの流量絞り２４，２４の流量絞り面４３，４３を図１２に矢印Ａで示すように重ね合わせて、掛止アーム４２，４２にて、縦樋１０内に吊設する。この重合吊設状態において、図１２に矢印Ｂで示すように、一方の流量絞り２４を流量絞り面４３の中心軸線Ｘの回りで回動させて、他方の流量絞り２４に対する重合角度位置を変更すると、二つの流量絞り２４，２４の流量絞り面４３の片側に寄せた雨水通過孔４４，４４の重なり具合が連続的に変化する。これにより、二つの流量絞り２４，２４によって画定される雨水通過孔４４，４４の重なりの小穴４４ａの開口面積が連続的に変化し、雨水通過率が無段階に調整される。図１２の例によれば、雨水通過率の調整を簡易な構成で達成できて好適である。流量絞り２４の雨水通過率の調整範囲は、例えば、５％乃至４０％程度とすることができる。
【０１０４】
なお、流量絞り２４の回動操作は、掛止アーム４２の少なくとも一部が外部へ露出している場合には、掛止アーム４２の内、縦樋１０の外部に露出している部分を利用して行うことができる。別例として、掛止アーム４２の少なくとも一部が外部へ露出していない場合には、外部から流量絞り２４を回動操作できるように、外部に露出する調整レバー（操作部材）２６を掛止アーム４２に設けると好適である。例えば、図５に示すように、貯留タンク１９の周囲に横方向のスリット２６ａを設け、掛止アーム４２に連結される調整レバー２６を前記スリット２６ａから外部へ延び出させておけばよい。
【０１０５】
（２）流量絞り２４は、例えば、雨水通過率が２０％、４０％、６０％と異なるものを準備しておき、汚水桝２及び／又は雨水桝２ａの容量や排水能力に応じて選択できるようにすると良い。
【０１０６】
（３）敷地がある住宅では、図２〜図１１における貯留タンク１９の一部、好ましくは大半の部分（９０％以上）を、地中に埋設して見えなくすることもできる。この場合、特に貯留タンク１９の形状は自由にできる。例えば、横に大きくして埋設の部分を浅くできる。
【０１０７】
（４）満杯になった貯留タンク１９が１５分から４５分程度、好ましくは３０分程度で実質的に空になるように、貯留タンク１９の容量と全量排出口からの自然排水流量とを設定することもできる。
【０１０８】
（５）図１４は、図３の変形例である。よって、図３の例と同じ部分には図３と同じ符号を付して重複する説明を省略する。この例は、図３の過剰水排出口２０ｂを、貯留タンク１９の上流側において雨水管４に形成したものである。貯留タンク１９の上端を液密に閉じる蓋２０ａには、貯留タンク１９内への雨水の円滑な流入を可能にするため、空気抜き口２０ｃを形成するのが好ましい。
【０１０９】
なお、図１４の前記構成は、図４〜図６の例に適用することも可能である。すなわち、図４〜図６の例において、貯留タンク１９の上部を図３と同じく蓋２０ａで液密に塞ぎ、過剰水排出口２０ｂを、図１４と同じく貯留タンク１９の上流側において雨水管４に形成する。この場合にも、貯留タンク１９の上端を液密に閉じる蓋２０ａには、空気抜き口２０ｃを形成するのがよい。
【０１１０】
（６）図１５は、図７の変形例である。よって、図７の例と同じ部分には図７と同じ符号を付して重複する説明を省略する。この例は、図７の過剰水排出口２０ｂを、貯留タンク１９の上流側において雨水管４に連通させて形成したものである。貯留タンク１９の上部には、貯留タンク１９内への雨水の円滑な流入を可能にするため、空気抜き口２０ｃを形成する。
【０１１１】
図１５の例では、過剰水移送管１５と縦樋１０との接続部となる管継ぎ手１２よりも上流側の縦樋１０に、過剰水排出口２０ｂが形成される。縦樋１０の側面に開口部２２を設け、この開口部２２にＬ字状の排出口形成管２１が接続され、この排出口形成管２１の上端開口部が過剰水排出口２０ｂとされる。
【０１１２】
なお、図１４の例においても、図１５と同様に、Ｌ字状の排出口形成管２１を用いて、過剰水排出口２０ｂを、貯留タンク１９の上流側において雨水管４に連通させて形成することもできる。
【０１１３】
（７）図１６は、図８の変形例である。よって、図８の例と同じ部分には図８と同じ符号を付して重複する説明を省略する。この例は、図８の過剰水排出口２０ｂを、貯留タンク１９の上流側において雨水管４に連通させて形成したものである。貯留タンク１９の上部には、貯留タンク１９内への雨水の円滑な流入を可能にするため、空気抜き口２０ｃを形成する。
【０１１４】
図１６の例においても、図１５と同様に、過剰水移送管１５と縦樋１０との接続部となる管継ぎ手１２よりも上流側の縦樋１０に、過剰水排出口２０ｂが形成される。縦樋１０の側面に開口部２２を設け、この開口部２２にＬ字状の排出口形成管２１が接続され、この排出口形成管２１の上端開口部が過剰水排出口２０ｂとされる。
【０１１５】
（８）図１７は、図９の変形例である。よって、図９の例と同じ部分には図９と同じ符号を付して重複する説明を省略する。この例は、図９の過剰水排出口２０ｂを、貯留タンク１９の上流側において雨水管４に連通させて形成したものである。貯留タンク１９の上部には、貯留タンク１９内への雨水の円滑な流入を可能にするため、空気抜き口２０ｃを形成する。
【０１１６】
図１７の例では、過剰水移送管を兼ねる戻し管５０と縦樋１０との接続部よりも上流側の縦樋１０に、過剰水排出口２０ｂが形成される。縦樋１０の側面に開口部２２を設け、この開口部２２にＬ字状の排出口形成管２１が接続され、この排出口形成管２１の上端開口部が過剰水排出口２０ｂとされる。
【０１１７】
（９）図１８は、図１１の変形例である。よって、図１１の例と同じ部分には図１１と同じ符号を付して重複する説明を省略する。この例は、図１１の過剰水排出口２０ｂを、貯留タンク１９の上流側において雨水管４に連通させて形成したものである。貯留タンク１９の上部には、貯留タンク１９内への雨水の円滑な流入を可能にするため、空気抜き口２０ｃを形成する。
【０１１８】
図１８の例では、過剰水移送管１５と縦樋１０との接続部となる管継ぎ手１２よりも上流側の縦樋１０に、過剰水排出口２０ｂが形成される。縦樋１０の側面に開口部２２を設け、この開口部２２にＬ字状の排出口形成管２１が接続され、この排出口形成管２１の上端開口部が過剰水排出口２０ｂとされる。
【０１１９】
（１０）図１９は、図１８の変形例である。よって、図１８の例と同じ部分には図１８と同じ符号を付して重複する説明を省略する。この例は、図１８の過剰水排出口２０ｂから排出される過剰水が、流量絞り２４の下流側で雨水管４内に戻されることを特徴とする。
【０１２０】
具体的には、図１９に示すように、縦樋１０に連通する過剰水排出口２０ｂが、バイパス管２３によって、流量絞り２４の下流側で縦樋１０（雨水管４）の内部に連通させられる。この実施例は、過剰水を敷地やベランダに放出できない場合に意義がある。この実施例によれば、過剰水は、バイパス管２３内を通って流量絞り２４の下流側で雨水管４内に導かれる。したがって、過剰水が敷地やベランダに流出することがない。
【０１２１】
（１１）図２０は、図７の変形例である。よって、図７の例と同じ部分には図７と同じ符号を付して重複する説明を省略する。この例は、図７の過剰水排出口２０ｂから排出される過剰水が、流量絞り２４の下流側で雨水管４内に戻されることを特徴とする。
【０１２２】
具体的には、図２０に示すように、貯留タンク１９の上部に設けた過剰水排出口２０ｂが、バイパス管２３によって、流量絞り２４の下流側で縦樋１０（雨水管４）の内部に連通させられる。この実施例に、過剰水を敷地やベランダに放出できない場合に意義がある。この実施例によれば、過剰水は、バイパス管２３内を通って流量絞り２４の下流側で雨水管４内に導かれる。したがって、過剰水が敷地やベランダに流出することがない。
【０１２３】
なお、図１９、図２０の例は、それぞれ、図１８、図７の実施例にバイパス管２３を付加した態様である。しかし、それ以外の実施例においても、バイパス管２３を付加することにより、過剰水排出口２０ｂから流出する過剰水を流量絞り２４の下流側で雨水管４内に導くことができる。これにより、過剰水が敷地やベランダに流出することを防止することができる。
【０１２４】
（１２）図２１は、図４の変形例である。よって、図４の例と同じ部分には図４と同じ符号を付して重複する説明を省略する。この例は、前記流量絞り２４の下流側且つ前記戻し穴９９の上流側で雨水管４を切り欠いて過剰水排出口２０ｄが形成され、過剰水が前記過剰水排出口２０ｄから前記雨水管４内に戻されることを特徴とする。すなわち、図２１の例は、図４の例で貯留タンク１９の上部に設けた過剰水排出口２０ｂを廃止し、流量絞り２４の下流側且つ戻し穴９９の上流側で雨水管４に過剰水排出口２０ｄを切り欠き形成したものである。
【０１２５】
図２１の実施例によれば、流量絞り２４の作用で開口部４０から溢れ出た過剰の雨水は、貯留タンク１９内に流れ落ちて下から順に貯留される。貯留タンク１９の許容最大貯水量は、雨水管４上における過剰水排出口２０ｄの配設高さ位置で決まる。貯留タンク１９の許容最大貯水量を超える雨水は、過剰水排出口２０ｄから雨水管内に流れ出る。一時的な集中豪雨が小雨になり、縦樋１０内の雨水の全量が流量絞り２４を通過できる状態になると、開口部４０から貯留タンク１９への雨水の流入はなくなる。その後、貯留タンク１９内の雨水は、貯留タンク１９の下部の戻し穴９９から縦樋１０へと流出する。そして、再び一時的な集中豪雨が来ると、貯留タンク１９の貯水機能が再び発揮される。
【０１２６】
なお、図２１においては、図４と同様に蓋２１が開閉自在な構成としてもよいし、図２２に示すように、蓋２０ａが貯留タンク１９の上端開口部を液密に閉じる構成としてもよい。後者の場合には、蓋２１又は貯留タンク１９の周壁の上部に空気抜き口２０ｃを形成しておくとよい。
【０１２７】
（１３）図２２は、図２１の変形例である。よって、図２１の例と同じ部分には図２１と同じ符号を付して重複する説明を省略する。この例は、図２１中の流量絞り２４と戻し穴９９を流量調整可能としたものである。流量絞り２４による雨水通過率を外部から調整可能とするための具体例は、図１２を用いて既に説明したが、図２２の例は、それとは別例を示すものである。
【０１２８】
図２２において、流量絞り２４は、雨水管４に対して交差する方向に位置調整可能な板状の部材である。流量絞り２４は、雨水管４に対して位置調整可能に支持される。流量絞り２４の操作部２４ｄは、貯留タンク１９の外部から操作できるように、貯留タンク１９の外部に延び出している。流量絞り２４は円形の雨水通過孔２４ａを備え、この雨水通過孔２４ａの周辺部であって雨水管４の内部に位置する部分が、流量絞り面２４ｂとなる。図２２の例では、雨水通過孔２４ａの雨水通過率が最大で４０％、雨水管４の内周面と流量絞りの側縁との間の各隙間による雨水通過率が５％（二つの隙間による合計雨水通過率が１０％）となっている。このため、流量絞り２４全体としての最大雨水通過率が５０％（４０％＋１０％）である。そして、流量絞り２４を図２２の矢印方向に位置調整することで、雨水通過孔２４ａによる雨水通過率を４０％から０％まで調整することができる。結果として、流量絞り２４全体としての雨水通過率を５０％から１０％の間で調整することができる。
【０１２９】
図２２において、戻し穴９９は円形の穴とされ、この戻し穴９９に挿入された円錐形栓９９ａが戻し穴９９に対して進退移動自在とされている。円錐形栓９９ａは回転ねじ棒９９ｂに固着されており、この回転ねじ棒９９ｂが雨水管４又は貯留タンク１９に対してねじ結合状態で支持されている。回転ねじ棒９９ｂの操作部９９ｃは、貯留タンク１９の外部から回動操作できるようにが貯留タンク１９の外部に露出している。
【０１３０】
前記構成において、回転ねじ棒９９ｂを回動操作すると、円錐形栓９９ａが戻し穴９９に対して進退移動する。その結果、円錐形栓９９によって戻し穴９９の流量が調整される。
【０１３１】
戻し穴９９の流量調整は、図２２と同様の構成を採用することにより、図４及び図２１の例でも実施することができる。また、図７の例でも、外部から操作可能な調量弁を戻し管５０上に設けることで、戻し穴９９に相当する戻し管５０の流量を調整可能とすることもできる。
【０１３２】
（１４）図２３〜図２５は、図２２の変形例である。よって、図２２の例と同じ部分には図２２と同じ符号を付して重複する説明を省略する。図２３〜図２５の例は、図２２中の貯留タンク１９を拡縮自在としたものである。図２３〜図２５の例によれば、非降雨時には貯留タンク１９が縮小状態にあり、大量の降雨によって貯留タンク１９が自然に拡張し、貯留タンク１９内の雨水が排出されるに応じて貯留タンク１９が自然に縮小状態に復帰する。
【０１３３】
（１５）図２３の例は、貯留タンク１９が防水性を有する布又はシートで構成され、この布又はシートの柔軟性により貯留タンク１９が全体として拡縮自在とされている。貯留タンク１９は、少なくとも一部が防水性の布又はシートで構成されていれば足りる。しかし、貯留タンク１９の全部を防水性の布又はシートで構成すると、縮小状態をより小さくでき、且つ、大容量の貯留タンク１９とすることができて、好適である。
【０１３４】
図２３において、貯留タンク１９は、縦型円筒状の周面部６０と、この周面部６０の下端部６２と雨水管４とを液密に連結する下面部６３と、を備える。貯留タンク１９の上面部は開放されていてもよいし、閉じられていてもよい。周面部６０も下面部６３も、それらの全体が防水性の布又はシートで形成される。周面部６０の上端部６１と下面部６３のそれぞれが、雨水管４の外周面から放射状に延びる傘の骨状の支持骨６４で支持される。図示例では支持骨６４が雨水管４の回りに９０度間隔で四本配設されているが、これより多くてもよい。これらの支持骨６４は、上下を逆にした傘の骨のように開閉自在に雨水管４に対して枢支され、付勢手段としての引張りコイルばね６５で、雨水管４に沿って閉じた状態となるように常時付勢されている。引張りコイルばね６５の作用で支持骨６４が雨水管４に沿って上向きとなるように閉じると、貯留タンク１９の周面部６０が雨水管４の回りに集合する。この状態が貯留タンク１９の縮小状態である。すなわち、貯留タンク１９は、引張りコイルばね６５によって縮小状態となるように常時付勢されている。
【０１３５】
図２３の例によれば、流量絞り２４の作用で開口部４０から溢れ出た過剰の雨水は、貯留タンク１９内に流れ落ちて下から順に貯留される。貯留タンク１９への雨水の流入により、引張りコイルばね６５の付勢力に打ち勝って貯留タンク１９の下面部６３が下方へと開く。これにより、貯留タンク１９の全体が徐々に拡張状態へと移行する。すなわち、引張りコイルばね６５は、貯留タンク１９内への雨水の流入により、貯留タンク１９の拡張を許容する。
【０１３６】
一時的な集中豪雨が小雨になり、縦樋１０内の雨水の全量が流量絞り２４を通過できる状態になると、開口部４０から貯留タンク１９への雨水の流入はなくなる。その後、貯留タンク１９内の雨水は、貯留タンク１９の下部の戻し穴９９から縦樋１０へと流出する。貯留タンク１９内の雨水の減少に伴い、引張りコイルばね６５の作用で上面部６２及び下面部６３が上向きに閉じ始める。貯留タンク１９内が実質的に空になると、貯留タンク１９が元の縮小状態へと復帰する。
【０１３７】
なお、図２３において、符号６６は、布又はシート製の貯留タンク１９の一部に設けられた防水性の開閉自在部である。この開閉自在部６６は、例えばファスナー式等の方式で開閉自在に構成される。開閉自在部６６は、流量絞り２４と円錐形栓９９ａとの近傍にそれぞれ配設される。必要に応じて開閉自在部６６を開くことにより、流量絞り２４と円錐形栓９９ａの流量調整操作を行うことができる。
【０１３８】
（１６）図２４の例も、図２３の例と同じく、貯留タンク１９が防水性を有する布又はシートで構成され、この布又はシートの柔軟性により貯留タンク１９が全体として拡縮自在とされている。貯留タンク１９は、少なくとも一部が防水性の布又はシートで構成されていれば足りる。しかし、貯留タンク１９の全部を防水性の布又はシートで構成すると、縮小状態をより小さくでき、且つ、大容量の貯留タンクとすることができて、好適である。
【０１３９】
図２４において、貯留タンク１９は、縦型円筒状の周面部６０と、この周面部６０の下端部６２と雨水管４とを液密に連結する下面部６３と、を備える。上面部は開放されていてもよいし、閉じられていてもよい。周面部６０は縦型角筒状であってもよい。周面部６０も、下面部６３も、それらの全体が防水性の布又はシートで形成される。周面部６０の外面にウエイト部材としての縦骨６７が固着される。図示例では縦骨６７が周面部６０の回りに９０度間隔で四本配設されているが、これより多くてもよい。これらの縦骨６７の上端部は、ロープ６８で雨水管４に連結される。
【０１４０】
ウエイト部材としての縦骨６７は、自身の重さによって常時は雨水管４に寄り添うように垂れ下がり、布又はシート製の貯留タンク１９の周面部６０が雨水管４の回りに集合するように貯留タンク１９を縮小させるためのものである。よって、縦骨６７には、布又はシート製の貯留タンク１９を縮小させるに十分な重さが必要である。このため、縦骨６７としては、鉄棒等、金属製の棒材を用いるのが好ましい。
【０１４１】
図２４の例によれば、流量絞り２４の作用で開口部４０から溢れ出た過剰の雨水は、貯留タンク１９内に流れ落ちて下から順に貯留される。貯留タンク１９への雨水の流入により布又はシート製の貯留タンク１９が膨らんで、縦骨６７が雨水管４から離れる方向へと移動し、貯留タンク１９の全体が拡張状態へと移行する。
【０１４２】
一時的な集中豪雨が小雨になり、縦樋１０内の雨水の全量が流量絞り２４を通過できる状態になると、開口部４０から貯留タンク１９への雨水の流入はなくなる。その後、貯留タンク１９内の雨水は、貯留タンク１９の下部の戻し穴９９から縦樋１０へと流出する。貯留タンク１９内の雨水の減少に伴い、縦骨６７の重さで貯留タンク１９の周面部６０が雨水管４の回りに集まる。貯留タンク１９内が実質的に空になると、貯留タンク１９が元の縮小状態へと復帰する。
【０１４３】
（１７）図２５の例は、貯留タンク１９が防水性を有する伸縮シートで構成され、該シートの伸縮性により貯留タンク１９が全体として拡縮自在とされている。貯留タンク１９は、少なくとも一部が防水性の伸縮シートで構成されていれば足りる。しかし、貯留タンク１９の全部を防水性の伸縮シートで構成すると、縮小状態をより小さくでき、且つ、大容量の貯留タンクとすることができて、好適である。
【０１４４】
図２５において、貯留タンク１９は、上端部６９と下端部７０とが開口した筒状体とされ、雨水管４に装着した状態で、上端部６９と下端部７０とが雨水管４に液密に固着される。貯留タンク１９は、雨水が溜まっていない状態においては、貯留タンク１９の外周面に寄り添うように収縮している。そして、貯留タンク１９内に雨水が溜まり始めると、シートが伸長して貯留タンク１９が拡張する。貯留タンク１９の回りには、貯留タンク１９の所定以上の拡張を規制するために、拡張規制バンド７１が配設される。拡張規制バンド７１によって、貯留タンク１９の許容最大貯水量が画定される。拡張規制バンド７１は、貯留タンク１９の上下方向の複数個所に配設しておくのが好ましい。各拡張規制バンド７１は、一部を貯留タンク１９の外面に固着しておくとよい。
【０１４５】
一時的な集中豪雨が小雨になり、縦樋１０内の雨水の全量が流量絞り２４を通過できる状態になると、開口部４０から貯留タンク１９への雨水の流入はなくなる。その後、貯留タンク１９内の雨水は、貯留タンク１９の下部の戻し穴９９から縦樋１０へと流出する。貯留タンク１９内の雨水の減少に伴い、貯留タンク１９が雨水管４の回りに収縮する。貯留タンク１９内が実質的に空になると、貯留タンク１９が元の縮小状態へと復帰する。
【０１４６】
なお、図２４、図２５の例でも、図２３と同様に、流量絞り２４と円錐形栓９９ａの流量調整操作を可能にするために、防水性の開閉自在部６６が配設される。
【０１４７】
（１８）図２６は、図７の変形例である。よって、図７の例と同じ部分には図７と同じ符号を付して重複する説明を省略する。図２６の例は、図７中の貯留タンク１９を拡縮自在としたものである。図２６の例によれば、非降雨時には貯留タンク１９が縮小状態にあり、大量の降雨によって貯留タンク１９が自然に拡張し、貯留タンク１９内の雨水が排出されるに応じて貯留タンク１９が自然に縮小状態に復帰する。
【０１４８】
図２６において、貯留タンク１９の少なくとも一部が、防水性を有する布又はシートで構成される。この布又はシートの柔軟性により、貯留タンク１９が拡縮自在である。貯留タンク１９は、一例として、常に一定の形状を有する定形部７２と、雨水の流入によって拡張するとともに雨水の流出によって縮小する拡縮部７３と、からなる。定形部７２は金属又はプラスチックで形成され、拡縮部７３は防水性を有する布で形成される。過剰水移送管１５と戻し管５０は定形部７２に連結され、過剰水排出口２０ｂも定形部７２に配設される。
【０１４９】
拡縮部７３は定形部７２に連ねて配設され、定形部７２の内部と拡縮部７３の内部は連通している。拡縮部７３の内部の上下には、折り畳み式の伸縮アーム７４が配設される。この伸縮アーム７４は、拡縮部７３を構成する布又はシートを内部から支持する。伸縮アーム７４の基端部７４ａは定形部７２に連結され、伸縮アーム７４の先端部７４ｂには、蛇腹状の拡縮部７３が縮小状態で連結される。伸縮アーム７４には、付勢手段の一例として、引張りコイルばね７５が設けられている。この引張りコイルばね７５は、拡縮部７３を縮小状態へ向けて常時付勢するととともに、貯留タンク１９への雨水の流入により拡縮部７３の拡張を許容する。図示例では、引張りコイルばね７５は、貯留タンク１９内に配設されるフレーム７６と伸縮アーム７４との間に架設され、伸縮アーム７４を収縮状態（折り畳み状態）に向けて常時付勢している。伸縮アーム７４が収縮状態にあるときに、拡縮部７３は縮小状態にある。そして、貯留タンク１９への雨水の流入により、引張りコイルばね７５の付勢力に打ち勝って拡縮部７３が拡張し、同時に伸縮アーム７４が伸長する。
【０１５０】
一時的な集中豪雨が小雨になり、縦樋１０内の雨水の全量が流量絞り２４を通過できる状態になると、管継ぎ手１２から貯留タンク１９への雨水の流入はなくなる。その後、貯留タンク１９内の雨水は、貯留タンク１９の下部の戻し管５０から縦樋１０へと流出する。貯留タンク１９内の雨水の減少に伴い、引張りコイルばね７５の作用で伸縮アーム７４が収縮し、貯留タンク１９の拡縮部７３が元の縮小状態へと復帰する。
【０１５１】
以上の説明では、図２１及び図７の例を元にして貯留タンク１９の拡縮構造を説明したが、これに限るものではなく、図２２乃至図２６の貯留タンク１９の拡縮構造は、図示した他の例にも適宜修正を加えつつ適用できることは勿論である。
【産業上の利用可能性】
【０１５２】
調査によると、大雨対策に必要な地下の貯留管５６（図１０参照）を都市の一部に建設するだけでも、数十億円から百億円を超える費用がかかる。例えば、次の通りである。
【０１５３】
調査結果Ａ：直径４．２５ｍ、長さ１．９ｋｍ、２４，０００ｍ３の貯留管の埋設コスト：６９億円
【０１５４】
調査結果Ｂ：直径５．５０ｍ、長さ６．５ｋｍ、８６，０００ｍ３の貯留管の埋設コスト：１９９億円
【０１５５】
これに対し、本発明の雨水制御装置を採用すれば、試算では、十分の一程度で同じ効果を奏すると見込まれる。
【０１５６】
住宅敷地がある個人住宅で、一世帯に４個の雨水制御装置を適用し８００リットル（ドラム缶で４個分）の過剰の雨水を保水できると仮定して、単価約５０００円の雨水制御装置を３万世帯〜１０万世帯で採用すれば、５０００円×４個×３〜１０万世帯、すなわち、６〜２０億円で大きな貯留管と同じ効果を達成できる。
【０１５７】
実際に対策しなければならないのは、集中豪雨である。ここで、集中豪雨とは、局地的で短時間（例えば１０分）の強い雨、つまり限られた地域に対して短時間に多量の雨が何回も継続して降ることをいう。集中豪雨時には、下水道の排水機能が限界を超える場合がある。本発明の雨水制御装置は、このような短時間に急激に降る集中豪雨の際に、雨樋の過剰の雨水を過剰水排出口から排出でき、及び／又は貯留タンクに貯留できる。
【０１５８】
ちなみに、気象庁の平成２１年の報告によれば、次の通りである。
【０１５９】
＜防災気象情報の活用の手引き＞
引用：局地的大雨と集中豪雨の雨の降り方の特徴
【０１６０】
短時間にまとまって降る強い雨は、局地的大雨でも集中豪雨でも発生します。局地的大雨ではそれが一過性であり、集中豪雨はそれを繰り返すという違いがあります。結果的に集中豪雨は、局地的大雨に比べ、大雨の継続時間が長く総雨量は多くなります。集中豪雨（２００８年７月２８日金沢市医王山）の例では、１０分間あたり１０ｍｍ以上の雨（そのまま 1 時間降り続くと６０ｍｍ以上となる非常に激しい雨）が、強弱を繰り返しながら ３〜４時間降り続き、総雨量は １４２ｍｍとなりました。局地的大雨(２００８年７月２８日三田市)の例では、１０分間あたり１０ｍｍ前後の雨が、１時間にまとまって降り、総雨量は ６３ｍｍになりました。」
【０１６１】
これを参考に計算すると、自宅が６０坪なら、６０×３．３平方メートル＝１９８平方メートル＝１９８００００平方センチメートルの面積に、１０分間で１ｃｍ（１０ｍｍ）×１９８００００平方センチメートル＝１９８００００立方センチメートルの雨が降ることになる。１リットルは１０００立方センチメートルなので、６０坪に１０分で１９８０リットル（約２０００リットル）の降雨量となる。
【０１６２】
約２０００リットルの雨が自宅６０坪に降るとすると、敷地の半分が家屋の屋根とすれば、半分の１０００リットル、すなわち、５本のドラム缶相当の雨水が屋根に降り注ぐこととなる。この一時的な集中豪雨の雨水の４０％（２本のドラム缶相当）を縦樋の外に排出して、敷地に散布又は／及び貯留タンクに保水すれば、下水道に流れる雨水を大きく減らすことができる。
【０１６３】
住宅敷地がある個人住宅で、一世帯に４個の雨水制御装置を適用し、８００リットル（ドラム缶（２００リットル）で４個分）の過剰の雨水を保水できると仮定して計算したが、実際にはその半分で済むと見込まれる。１０分間あたり１０ｍｍ前後の雨がさらに１０分継続してもほぼ耐えられる。
【０１６４】
現実には、住宅の敷地は既にある程度、浸透水で満たされているので、敷地に流すよりも、貯留タンクに保水することが好ましい。簡易的手段としては、例えば古いドラム缶を縦樋の近くに設置して、ドラム缶に貯留し、雨が止んでから敷地に散布し捨てるか、ドラム缶の下部の周囲の壁に所定の大きさの放水孔８８（図１０参照）を開け、溜めた雨水を３０分程度で放出すれば、また来る一時的な集中豪雨に再び対応することができる。これは、従来の地下の貯留管の機能と類似した機能である。放水孔８８から放出された雨水は、敷地の地下に浸透するか、道路の側溝に流れ込み、下水道や近くの河川に流れ出る。
【０１６５】
戸建て住宅一軒で４個もの貯留タンク（例えばドラム缶）を外に出して置くのは美観が損なわれるという場合は、図２〜図６に示したタイプの貯留タンク１９を採用すればよい。
【０１６６】
図２〜図１１に示した貯留タンク１９として、例えば直径３０ｃｍの円筒を使用する場合、その円筒の断面積は約３．１４×１５×１５＝７０６ｃｍ２であるから、ドラム缶一缶分の２００リットルの容量とするには、約２８０ｃｍの高さが必要となる。
【０１６７】
住宅の四隅の縦樋のそれぞれに前記サイズの貯留タンク１９を取り付けても、それほど美観を損なうことは無いと推察される。貯留タンクが太過ぎてやはり美観が気になる方は、直径２０ｃｍの円筒にすれば、８８リットルの容量を貯留できる。十分とは言えないが、大雨対策にはなると考えられる。
【０１６８】
高層住宅の各階のベランダに円筒の貯留タンク１９を設置する場合には、１世帯で一つの貯留タンクとして、２０階の高層住宅で各階に２０世帯があるとすると、１世帯が２００リットルを貯留すれば、４００世帯で８００００リットルとなり、４００本のドラム缶の容量に相当する。
【０１６９】
２４，０００ｍ３の貯留管の埋設コストが６９億円というデータと比較すると、１世帯がドラム缶で４個分の過剰の雨水を保水できると仮定して、３万世帯が協力して採用する必要があったから、１２万個のドラム缶相当の量である。
２４，０００ｍ３の貯留管と同じ機能を上記の高層住宅が担うとすると、３００棟の協力が必要となる。都市では、敷地がある個人住宅の数は限られており、高層住宅の協力は必須と思われる。住み良い街作りのために、地域住民を含め、自治体も一緒になって取り組むことが望まれる。
【符号の説明】
【０１７０】
１    住宅
２    汚水桝
２ａ  雨水桝
４    雨水管 ・・・｛地上管７(軒樋９＋縦樋１０)＋埋設管８｝
６    汚水源（トイレ等）
２０，２０ｂ  過剰水排出口
２１  蓋
１８  内向きフランジ
１９  貯留タンク
２４  流量絞り
２６  調整レバー（操作部材）
４０  開口部
４３  流量絞り面
４４  雨水通過孔
５０  戻し管
５５  下水道
６４，７４  付勢手段（引張りコイルばね）
６６  貯留管
９９  戻し穴
【図１】
2016194235.tif 000003
【図２】
2016194235.tif 000004
【図３】
2016194235.tif 000005
【図４】
2016194235.tif 000006
【図５】
2016194235.tif 000007
【図６】
2016194235.tif 000008
【図７】
2016194235.tif 000009
【図８】
2016194235.tif 000010
【図９】
2016194235.tif 000011
【図１０】
2016194235.tif 000012
【図１１】
2016194235.tif 000013
【図１２】
2016194235.tif 000014
【図１３】
2016194235.tif 000015
【図１４】
2016194235.tif 000016
【図１５】
2016194235.tif 000017
【図１６】
2016194235.tif 000018
【図１７】
2016194235.tif 000019
【図１８】
2016194235.tif 000020
【図１９】
2016194235.tif 000021
【図２０】
2016194235.tif 000022
【図２１】
2016194235.tif 000023
【図２２】
2016194235.tif 000024
【図２３】
2016194235.tif 000025
【図２４】
2016194235.tif 000026
【図２５】
2016194235.tif 000027
【図２６】
2016194235.tif 000028